(57)【要約】【課題】容器に、ＩＣタグを容易且つ確実に取り付けることができ、通信特性を損なうことのないＩＣタグ保持具を提供すること。【解決手段】本実施形態に係るＩＣタグ保持具は、液体が収容される容器にＩＣチップ及び前記ＩＣチップに接続されたアンテナを有するＩＣタグを取り付けるＩＣタグ保持具であって、前記容器の外周に沿って変形し前記容器の外周に取り付けられるバンド部材と、前記バンド部材に取り付けられており、前記ＩＣタグを前記容器表面から離間長離して支持する支持部材と、を備え、前記ＩＣタグは、前記支持部材の表面に設けられている。【選択図】  図１
2018106576.tif 000002
【特許請求の範囲】
【請求項１】
液体が収容される容器にＩＣチップ及び前記ＩＣチップに接続されたアンテナを有するＩＣタグを取り付けるＩＣタグ保持具であって、
前記容器の外周に沿って変形し前記容器の外周に取り付けられるバンド部材と、
前記バンド部材に取り付けられており、前記ＩＣタグを前記容器の表面から離間長離して支持する支持部材と、
を備え、前記ＩＣタグは、前記支持部材の表面に設けられているＩＣタグ保持具。
【請求項２】
液体が収容される容器にＩＣチップ及び前記ＩＣチップに接続されたアンテナを有するＩＣタグを取り付けるＩＣタグ保持具であって、
前記容器の外周に沿って変形し前記容器の外周に取り付けられるバンド部材と、
前記バンド部材に取り付けられており、前記ＩＣタグを前記容器の表面から離間長離して支持する支持部材と、
を備え、前記ＩＣタグは、前記支持部材の内部に設けられているＩＣタグ保持具。
【請求項３】
請求項１又は２に記載のＩＣタグ保持具において、
前記バンド部材は、
可撓性を有する本体板と、
前記本体板の外表面を覆う被覆材と、
を備え、
前記本体板は、長手方向に巻回されて巻癖が付与されるとともに、前記本体板の幅方向においては、幅方向中央部に対して幅方向端部が反る力が付与された薄板状のバネ鋼板であるＩＣタグ保持具。
【発明の詳細な説明】
【技術分野】
【０００１】
本発明は、容器にＩＣタグを取り付けるためのＩＣタグ保持具に関する。
【背景技術】
【０００２】
製品の製造、管理、流通等の分野では、製品に関する情報が視認可能に印字されて製品に取り付けられるタグや、製品に関する情報が視認可能に印字されて製品等に貼付されるラベルが用いられている。近年では、識別情報が書き込まれたＩＣチップから非接触通信によって情報を送受するＲＦＩＤ（Ｒａｄｉｏ  Ｆｒｅｑｕｅｎｃｙ  Ｉｄｅｎｔｉｆｉｃａｔｉｏｎ）技術が種々の分野に適用されるようになっており、当該分野においても浸透しつつある（特許文献１参照）。
【０００３】
特に、製品が保管される倉庫内や店舗の販売フロアの規模において一括読取を可能とするために、ＵＨＦ帯域を使用したＩＣタグが増加しつつある。
【０００４】
このようなＩＣチップ及びアンテナが組み込まれたＩＣタグ及びＩＣラベルには、取り付けられる対象物又は貼付される対象物（以下、これらを含めて被着体という）に関する情報がＩＣチップに記録される。また、同様の情報が視認可能に印字されることもある。
【０００５】
また、近年では、ペットボトルなどの飲料入りの容器の管理にも、ＲＦＩＤ媒体を用いる要求がある。これに対して、ＩＣタグを容器に直接貼付すること、また、結束バンドにより容器の適切な箇所に取り付けることが考えられる（特許文献１参照）。
【先行技術文献】
【特許文献】
【０００６】
【特許文献１】特開２０１３−１４３１１７号公報
【発明の概要】
【発明が解決しようとする課題】
【０００７】
通信に用いられるＵＨＦ帯域の電波は、ガラスや水分が介在すると、減衰したり、不安定になることが知られている。
【０００８】
このため、ＲＦＩＤ媒体を飲料等の液体の入った容器に単に貼り付けただけでは、ＵＨＦ帯域のＩＣタグ本来の通信性能を発揮することが難しく、さらなる改良の余地があった。
【０００９】
また、製品管理上、管理対象物と対象物に関する情報とは、完全に紐付けされる必要があり、管理対象物と対象物に関する情報とが分離されては、信頼性に欠ける。このため、本体から分離される蓋や栓にＩＣタグを取り付けることは好ましくない。
【００１０】
そこで、本発明は、容器に、ＩＣタグを容易且つ確実に取り付けることができ、通信特性を損なうことのないＩＣタグ保持具の提供を目的とする。
【課題を解決するための手段】
【００１１】
本発明のある態様によれば、液体が収容される容器にＩＣチップ及び前記ＩＣチップに接続されたアンテナを有するＩＣタグを取り付けるＩＣタグ保持具であって、前記容器の外周に沿って変形し前記容器の外周に取り付けられるバンド部材と、前記バンド部材に取り付けられており、前記ＩＣタグを前記容器の表面から離間長離して支持する支持部材とを備え、前記ＩＣタグは、前記支持部材の表面に設けられているＩＣタグ保持具が提供される。
【発明の効果】
【００１２】
これらの態様によれば、容器に、ＩＣタグを容易且つ確実に取り付けることができて、通信特性を損なうことのないＩＣタグ保持具を提供できる。
【図面の簡単な説明】
【００１３】
【図１】図１は、本発明の実施形態に係るＩＣタグ保持具を説明する外観図である。
【図２】図２は、図１に示したＩＣタグ保持具のＩＩ−ＩＩ断面における断面図である。
【図３】図３は、本発明の実施形態に係るＩＣタグ保持具が容器に装着された状態を示す模式図である。
【図４】図４は、本発明の実施形態に係るＩＣタグ保持具のベルト部が湾曲した様子を説明する模式図である。
【図５】図５は、本発明の実施形態に係るＩＣタグ保持具に適用されるＩＣタグを説明する平面図である。
【図６】図６は、図５に示すＩＣタグのＶＩ−ＶＩ断面の断面図である。
【図７】図７は、本発明の実施形態に係るＩＣタグ保持具に適用されるＩＣタグの別の例を説明する平面図である。
【図８】図８は、図７に示すＩＣタグのＶＩＩＩ−ＶＩＩＩ断面の断面図である。
【図９】図９は、本発明の別の実施形態に係るＩＣタグ保持具を説明する断面図である。
【発明を実施するための形態】
【００１４】
［ＩＣタグ保持具］
以下、図面を用いて、本発明の実施形態に係るＩＣタグ保持具１について説明する。図１は、本発明の実施形態に係るＩＣタグ保持具１を説明する外観図である。また、図２は、図１に示したＩＣタグ保持具のＩＩ−ＩＩ断面における断面図である。また、図３は、本発明の実施形態に係るＩＣタグ保持具１を容器１００に装着した状態を示す模式図である。
【００１５】
図１及び図２に示すように、ＩＣタグ保持具１は、支持部材１０と、バンド部材２０とを備え、図３に示す液体が収容された容器１００に、後述するＩＣチップ３３及びＩＣチップ３３に接続されたアンテナ３２を有するＩＣタグ３０を取り付けるためのものである。
【００１６】
図３に示すように、容器１００は、飲料の注ぎ口１０１が形成されたネック部１０２と、胴部１０３とを有し、容器１００には、液体、特に飲料が収められる。容器１００としては、例えば、ＰＥＴのような合成樹脂製、ガラス製、陶器製のものが挙げられる。
【００１７】
また、本実施形態においては、支持部材１０の表面１０ａにＩＣタグ３０が配置されている。ＩＣタグ３０の詳細は、後述する。
【００１８】
支持部材１０は、容器１００の表面に当接する脚部１１，１２を備え、ＩＣタグ３０を、容器１００の表面から離間長ｄ、離間して支持している。
【００１９】
脚部１１，１２には、開口部１１ａ，１２ａが形成されており、この開口部１１ａ，１２ａに、バンド部材２０が挿通されている。
【００２０】
本実施形態において、支持部材１０によって、ＩＣタグ３０が容器１００の表面から離間される離間長ｄとは、５ｍｍ以上２０ｍｍ以下であることが好ましい。
【００２１】
離間長ｄが５ｍｍ未満であると、ＩＣタグ３０に用いられたＩＣチップ３３のＵＨＦ帯域の電波が容器１００の材質及び容器１００に収められる液体の干渉を受けて、電波強度が低下する。
【００２２】
また、離間長ｄが２０ｍｍを超えると、複数の容器１００を並べて配置する際に邪魔になるため好ましくない。
【００２３】
上記観点から、離間長ｄは、より好ましくは、１０ｍｍ以上１５ｍｍ以下である。
【００２４】
次に、バンド部材２０について説明する。図２の断面図に示すように、バンド部材２０は、可撓性を有する本体板２１と、この本体板２１の外表面を覆う被覆材２２とを備える。
【００２５】
本体板２１は、薄板状のバネ鋼板からなる。本体板２１は、本体板２１の幅方向の断面は、緩やかに湾曲し、幅方向中央部に対して幅方向端部が反る力が付与されている。本体板２１は、長手方向に巻回されて、巻癖が付与されている。
【００２６】
また、被覆材２２は、ゴム或いは軟質樹脂などの可撓性材料から形成されている。可撓性材料とは、後述する本体板２１の変形に追従して弾性変形する材料である。可撓性材料としては、例えば、シリコーンゴム、塩化ビニル樹脂、ウレタン樹脂、熱可塑性エラストマ等が挙げられる。
【００２７】
図４は、本発明の実施形態に係るＩＣタグ保持具１のバンド部材２０が湾曲してリング状になった様子を説明する模式図である。
【００２８】
バンド部材２０は、上述した構成により、両端部２０ａ，２０ｂが互いに接近するように湾曲した状態から、この湾曲状態に抗して両端部２０ａ，２０ｂを直線上に展開し、幅方向端部を反り返されると、図１に示すような真直状に延びた状態で保持される。
【００２９】
また、バンド部材２０は、図１に示すような真直状に延びた状態から、幅方向端部の反りに抗して、両端部２０ａ，２０ｂを折り曲げられることにより、図４に示すように、両端部２０ａ，２０ｂが互いに接近するように湾曲した状態に変形する。これにより、バンド部材２０は、容器１００に巻き付き、容器１００の表面形状（円筒状）に追従した形になる。
【００３０】
したがって、バンド部材２０を支持部材１０における脚部１１，１２の開口部１１ａ，１２ａに挿通することにより、支持部材１０を容器１００の外周に取り付けることができる。
【００３１】
図３に示すように、本実施形態に係るＩＣタグ保持具１は、容器１００の胴部１０３に取り付けられる。容器１００の胴部１０３に取り付けられることによって、バンド部材２０が湾曲した状態において適切な把持力が得られる。
【００３２】
図５は、本実施形態に係るＩＣタグ保持具１に適用されるＩＣタグ３０を説明する平面図である。図６は、図５に示すＩＣタグ３０のＶＩ−ＶＩ断面の断面図である。
【００３３】
ＩＣタグ３０は、基材３１と、基材３１に設けられたアンテナ３２と、アンテナ３２に接続されたＩＣチップ３３とを備える。
【００３４】
また、基材３１のアンテナ３２及びＩＣチップ３３が設けられる面３１ａは、粘着剤層３４によって覆われている。
【００３５】
ＩＣタグ３０の、基材３１の面３１ｂ（ＩＣチップ３３が配置された面３１ａの反対面）には、粘着剤層３５とラベル基材３６とからなるラベル３８が貼り付けられている。すなわち、ＩＣタグ３０は、その粘着剤層３４とラベル３８の粘着剤層３５によって支持部材１０の表面１０ａに貼り付けられている（図１〜図４参照）。
【００３６】
図７は、本発明の実施形態に係るＩＣタグ保持具１に適用されるＩＣタグ３０の別の例を説明する平面図である。図８は、図７に示すＩＣタグ３０のＶＩＩＩ−ＶＩＩＩ断面の断面図である。
【００３７】
図７及び図８に示すＩＣタグ３０は、ＩＣタグ用の基材とラベル基材とを兼ねた基材３７と、基材３７に設けられたアンテナ３２と、アンテナ３２に接続されたＩＣチップ３３とを備える。また、基材３７のアンテナ３２及びＩＣチップ３３が設けられる面３７ａは、粘着剤層３４によって覆われている。
【００３８】
アンテナ３２は、ＲＦＩＤの仕様に応じて、ＵＨＦ帯（３００ＭＨｚ〜３ＧＨｚ、特に８６０ＭＨｚ〜９６０ＭＨｚ）、マイクロ波（１〜３０ＧＨｚ、特に２．４５ＧＨｚ近傍）、及びＨＦ帯（３ＭＨｚ〜３０ＭＨｚ、特に１３．５６ＭＨｚ近傍）等の特定の周波数帯に対応したパターンに設計される。本実施形態のアンテナ３２は、ＵＨＦ帯の例である。
【００３９】
本実施形態において、基材３１及び基材３７に適用可能な材料としては、上質紙、コート紙等の紙類、ポリ塩化ビニル、ポリエチレンテレフタレート、ポリプロピレン、ポリエチレン、ポリエチレンナフタレート等の樹脂フィルム単体又はこれら樹脂フィルムを複数積層してなる多層フィルムが挙げられる。
【００４０】
以上説明したように、本実施形態に係るＩＣタグ保持具１によれば、ＩＣタグ３０が支持部材１０によって、容器１００から離間長ｄを保って取り付けられる。このため、容器１００の材質及び容器１００に収められた液体の影響を受けることがなく、通信特性を損なうことがない。
【００４１】
また、本実施形態に係るＩＣタグ保持具１において、バンド部材２０は、真直状に伸びた状態から幅方向端部の反りを戻す方向に変形されると、長手方向に湾曲した状態に変形する。このため、バンド部材２０が容器１００の胴部１０３の形状に追従して、胴部１０３において、容易かつ確実に支持部材１０を保持することができる。
【００４２】
［その他の実施形態］
本実施形態に係るＩＣタグ保持具１は、本発明の要旨を逸脱しない範囲で種々の変更が可能である。
【００４３】
図９は、本発明の別の実施形態として示すＩＣタグ保持具２の断面図である。ＩＣタグ保持具２のように、アンテナ３２及びＩＣチップ３３は、支持部材１０の内部に埋め込まれていてもよい。
【００４４】
この場合には、ＩＣタグ３０は、支持部材１０の内部において、離間長ｄを保つように、表面１０ａ側に埋め込まれていることが好ましい。
【００４５】
なお、ＩＣタグ保持具２のような埋設式の場合には、基材３１は、無くてもよい。また、埋設式の場合、アンテナ３２及びＩＣチップ３３をＩＣタグ保持具２に取り付けるための粘着剤層３４は用いなくともよい。
【００４６】
埋設式とすることにより、ＩＣタグ３０を支持部材１０の表面１０ａに貼り付ける場合に比べて、ＩＣタグ３０の剥がれや、ＩＣタグ３０への接触によるＩＣチップ３３の損傷等を防止することができる。
【００４７】
以上、本発明の実施形態について説明したが、上記実施形態は、本発明の適用例の一部を示したに過ぎず、本発明の技術的範囲を上記実施形態の具体的構成に限定する趣旨ではない。
【符号の説明】
【００４８】
１    ＩＣタグ保持具
２    ＩＣタグ保持具
１０    支持部材
１０ａ    表面
１１，１２    脚部
１１ａ，１２ａ    開口部
２０    バンド部材
２０ａ，２０ｂ    端部
２１    本体板
２２    被覆材
３０    ＩＣタグ
３１    基材
３１ａ    面
３１ｂ    面
３２    アンテナ
３３    ＩＣチップ
３４    粘着剤層
３５    粘着剤層
３６    ラベル基材
３７    基材
３７ａ    面
１００    容器
１０１    注ぎ口
１０２    ネック部
１０３    胴部
【図１】
2018106576.tif 000003
【図２】
2018106576.tif 000004
【図３】
2018106576.tif 000005
【図４】
2018106576.tif 000006
【図５】
2018106576.tif 000007
【図６】
2018106576.tif 000008
【図７】
2018106576.tif 000009
【図８】
2018106576.tif 000010
【図９】
2018106576.tif 000011